(57)【要約】      （修正有）【課題】釣具の形状やタイプを選ばず簡単に装着でき、すみやかに回収紐を用いて根掛りした釣具を回収することができる釣具回収装置を提供する。【解決手段】３つの略鉤状のフック手段１１と、フック手段を固定するフック固定手段１２と、フック手段を開口で保持する滑車手段１３と、略楕円の円環形状で、前記開口に貫通させて、開口で保持したフック手段を固定する回収紐取付手段１４と、根掛りした釣具を回収するときに、釣り人が引っ張る回収紐とを有し、フック手段は、略鉤状の頭部の位置に頭部開口を備え、略鉤状の脚部の位置に脚部開口を備え、滑車手段は、一方の端面で点対称に重ねて配置したフック手段の２つの脚部開口を保持し、他方の端面でフック手段の残りの１つの脚部開口を保持し、フック固定手段は、フック手段の２つの頭部開口と他方の端面で保持しているフック手段の１つの頭部開口とを連結して固定する。【選択図】図１
0003208541.tif 000002
【実用新案登録請求の範囲】
【請求項１】
根掛りした釣具を回収する釣具回収装置であって、
３つの略鉤状のフック手段と、
略Ｓ字形状で前記フック手段を固定するフック固定手段と、
略円板形状で中心に開口を有し、前記フック手段を前記開口で保持する滑車手段と、
略楕円の円環形状で、前記開口に貫通させて、該開口で保持した前記フック手段を固定する回収紐取付手段と、
前記回収紐取付手段に取り付けられ、根掛りした前記釣具を回収するときに、釣り人が引っ張る回収紐と
を有し、
前記フック手段は、略鉤状の頭部の位置に頭部開口を備え、略鉤状の脚部の位置に脚部開口を備え、
前記滑車手段は、一方の端面で点対称に重ねて配置した前記フック手段の２つの前記脚部開口を保持し、他方の端面で前記フック手段の残りの１つの前記脚部開口を保持し、
前記フック固定手段は、前記滑車手段の前記一方の端面で保持している前記フック手段の２つの前記頭部開口と前記他方の端面で保持している前記フック手段の１つの前記頭部開口とを連結して固定する、
ことを特徴とする釣具回収装置。
【請求項２】
根掛りした前記釣具に引っ掛ける捕捉用円環手段を更に有し、
前記捕捉用円環手段は、略円形にした紐部材で、前記回収紐取付手段に取り付けられる、
ことを特徴とする、請求項１に記載の釣具回収装置。
【請求項３】
自重を増加させるための錘手段を更に有し、
前記錘手段は、前記回収紐取付手段に取り付けられる、
ことを特徴とする、請求項１または請求項２に記載の釣具回収装置。
【考案の詳細な説明】
【技術分野】
【０００１】
本考案は、根掛りした釣具を回収する釣具回収装置に関する。
【背景技術】
【０００２】
特許文献１には、おもり本体の上部に設けられた釣糸にガイドする上部釣糸ガイド、おもり本体の下部に設けられた釣糸にガイドする下部釣糸ガイド、上部釣糸ガイドと兼用となっているストッパー、おもり本体上の釣糸に面した側に設けられた刃先がその釣糸に着脱自在に上方向半回転状態に設けられた糸切り刃、糸切り刃の刃先がその釣糸に食い込む方向に稼働させるスプリング等の刃立て手段、より構成されることを特徴とした根がかりの釣糸切断手段に関する技術を開示している。
【先行技術文献】
【特許文献】
【０００３】
【特許文献１】実公平６−３３８３５号公報
【考案の概要】
【考案が解決しようとする課題】
【０００４】
しかしながら、特許文献１に開示されている技術では、根掛りした釣具（例えばルアー）を回収することができない場合がある。また、特許文献１には、ルアーの形状やタイプを選ばず、簡単に装着でき、すみやかに根掛りしたルアーを回収する釣具回収装置に関する技術の記載がない。
【０００５】
本考案は、回収紐を用いて根掛りした釣具を回収することができる釣具回収装置を提供することを目的とする。また、本考案は、釣具（例えばルアー）の形状やタイプを選ばず、簡単に装着でき、すみやかに根掛りした釣具を回収することができる釣具回収装置を提供することを目的とするものであってもよい。
【課題を解決するための手段】
【０００６】
上記課題を解決するために、本考案の一つの実施形態は、根掛りした釣具を回収する釣具回収装置であって、３つの略鉤状のフック手段と、略Ｓ字形状で前記フック手段を固定するフック固定手段と、略円板形状で中心に開口を有し、前記フック手段を前記開口で保持する滑車手段と、略楕円の円環形状で、前記開口に貫通させて、該開口で保持した前記フック手段を固定する回収紐取付手段と、前記回収紐取付手段に取り付けられ、根掛りした前記釣具を回収するときに、釣り人が引っ張る回収紐とを有し、前記フック手段は、略鉤状の頭部の位置に頭部開口を備え、略鉤状の脚部の位置に脚部開口を備え、前記滑車手段は、一方の端面で点対称に重ねて配置した前記フック手段の２つの前記脚部開口を保持し、他方の端面で前記フック手段の残りの１つの前記脚部開口を保持し、前記フック固定手段は、前記滑車手段の前記一方の端面で保持している前記フック手段の２つの前記頭部開口と前記他方の端面で保持している前記フック手段の１つの前記頭部開口とを連結して固定する、ことを特徴とする釣具回収装置を提供する。また、本考案の他の実施形態は、根掛りした前記釣具に引っ掛ける捕捉用円環手段を更に有し、前記捕捉用円環手段は、略円形にした紐部材で、前記回収紐取付手段に取り付けられる、ことを特徴とする上記の釣具回収装置であってもよい。また、本考案の他の実施形態は、自重を増加させるための錘手段を更に有し、前記錘手段は、前記回収紐取付手段に取り付けられる、ことを特徴とする上記の釣具回収装置であってもよい。
【考案の効果】
【０００７】
本考案に係る釣具回収装置によれば、回収紐を用いて根掛りした釣具を回収することができる。また、本考案に係る釣具回収装置によれば、釣具（例えばルアー）の形状やタイプを選ばず、簡単に装着でき、すみやかに根掛りした釣具を回収することができる。
【図面の簡単な説明】
【０００８】
【図１】本考案の実施形態に係る釣具回収装置の一例を説明する説明図である。
【図２】本考案の実施形態に係る釣具回収装置のフック手段の一例を説明する説明図である。
【図３】本考案の実施形態に係る釣具回収装置のフック固定手段の一例を説明する説明図である。
【図４】本考案の実施形態に係る釣具回収装置の滑車手段の一例を説明する説明図である。
【図５】本考案の実施形態に係る釣具回収装置の回収紐取付手段の一例を説明する説明図である。
【図６】本考案の実施形態に係る釣具回収装置の回収紐の一例を説明する説明図である。
【図７】本考案の実施形態に係る釣具回収装置の捕捉用円環手段の一例を説明する説明図である。
【図８】本考案の実施形態に係る釣具回収装置の使用方法の一例を説明する説明図である。
【考案を実施するための形態】
【０００９】
実施形態に係る釣具回収装置の例を用いて、本考案を説明する。なお、本考案は、以後に説明する釣具回収装置以外でも、回収紐を用いて根掛りした釣具を回収するものであれば、いずれのものにも用いることができる。なお、回収紐は、特に限定されない。回収紐は、釣り糸と比較して強度の高い紐であれば、いずれのものも用いることができる。また、以後の説明では、釣具としてルアーを回収する方法を説明するが、本考案に係る釣具回収装置はルアー以外の釣具を回収するものであってもよい。
【００１０】
以後に、本考案を説明する。
【００１１】
図１乃至図７を用いて、本考案の実施形態に係る釣具回収装置の構成を説明する。ここで、図１は、本考案の実施形態に係る釣具回収装置１００の一例を説明する説明図である。図２は、釣具回収装置１００のフック手段１１の一例を説明する説明図である。図３は、釣具回収装置１００のフック固定手段１２の一例を説明する説明図である。図４は、釣具回収装置１００の滑車手段１３の一例を説明する説明図である。図５は、釣具回収装置１００の回収紐取付手段１４の一例を説明する説明図である。図６は、釣具回収装置１００の回収紐１５の一例を説明する説明図である。図７は、釣具回収装置１００の捕捉用円環手段１６の一例を説明する説明図である。
【００１２】
なお、図１等に示す釣具回収装置は一例であり、本考案は図１等に示す釣具回収装置等に限定されるものではない。
【００１３】
図１に示すように、本考案に係る釣具回収装置１００は、根掛りした釣具を回収する装置である。本考案に係る釣具回収装置１００は、３つの略鉤状のフック手段１１（１１Ａ、１１Ｂ、１１Ｃ）と、略Ｓ字形状でフック手段１１を固定するフック固定手段１２と、フック手段１１を開口１３ａ（図４）で保持する滑車手段１３と、開口１３ａで保持したフック手段１１を固定する回収紐取付手段１４と、根掛りした釣具を回収するときに釣り人が引っ張る回収紐１５（図６）とを有する。また、本考案に係る釣具回収装置１００は、根掛りした釣具に引っ掛ける捕捉用円環手段１６（図７）を更に有してもよい。また、本考案に係る釣具回収装置１００は、自重を増加させるための錘手段（不図示）を更に有してもよい。
【００１４】
フック手段１１は、根掛りした釣具を引っ掛ける手段である。フック手段１１は、図２に示すように、略鉤状の部材を用い、略鉤状の頭部の位置に頭部開口１１ａを備え、略鉤状の脚部の位置に脚部開口１１ｂを備える。なお、フック手段１１の材質は特に限定されない。フック手段１１は根掛りした釣具を引っ掛けて、引き抜くことができる強度の部材であれば、いずれのものも用いることができる。
【００１５】
フック固定手段１２は、フック手段１１を固定する手段である。フック固定手段１２は、図３に示すように、略Ｓ字形状の部材を用い、滑車手段１３の一方の端面で保持しているフック手段１１Ａ、１１Ｂ（図１）の２つの頭部開口１１ｂ（図２）と他方の端面で保持しているフック手段１１Ｃの１つの頭部開口１１ｂ（図２）とを連結して固定する。これにより、本考案に係る釣具回収装置１００は、滑車手段１３に固定したフック手段１１とフック固定手段１２とが形成する開口に、根掛りした釣具の釣り糸を通すことができる。なお、フック固定手段１２の材質は特に限定されない。フック固定手段１２はフック手段１１を固定できる強度の部材であれば、いずれのものも用いることができる。
【００１６】
滑車手段１３は、フック手段１１を保持する手段である。滑車手段１３は、図４に示すように、略円板形状で中心に開口１３ａを有し、開口１３ａでフック手段１１を保持する。なお、滑車手段１３の材質は特に限定されない。滑車手段１３はフック手段１１を保持することができる強度の部材であれば、いずれのものも用いることができる。
【００１７】
回収紐取付手段１４は、フック手段１１を固定する手段である。また、回収紐取付手段１４は、根掛りした釣具を回収するときに、釣り人が引っ張る回収紐を取り付けられる手段である。回収紐取付手段１４は、図５に示すように、略楕円の円環形状で、滑車手段１３の開口１３ａ（図１）に貫通させて、開口１３ａで保持しているフック手段１１を固定する。なお、回収紐取付手段１４の材質は特に限定されない。回収紐取付手段１４はフック手段１１を固定することができる強度の部材であれば、いずれのものも用いることができる。
【００１８】
回収紐１５は、根掛りした前記釣具を回収するときに、釣り人が引っ張る手段である。回収紐１５は、回収紐取付手段１４に取り付けられる。図６に示すように、回収紐１５は、滑車手段１３に周回させて、滑車手段１３に取り付けてもよい。これにより、本考案に係る釣具回収装置１００は、釣具（例えばルアーの複数の針）の一部でも回収紐１５に接触する機会が飛躍的に増し、仮にフック手段１１が不完全な状態で釣具を捕捉した状態でも、回収紐１５に引っかかった状態で釣具を回収することができる。また、滑車手段１３を交換することで、回収紐１５も交換することができる。なお、回収紐１５の材質は特に限定されない。回収紐１５は釣り人が引っ張っても切れない程度の強度の部材であれば、いずれのものも用いることができる。
【００１９】
捕捉用円環手段１６は、根掛りした釣具に引っ掛ける手段である。捕捉用円環手段１６は、図７に示すように、略円形にした紐部材で、回収紐取付手段１４に取り付けられる。これにより、本考案に係る釣具回収装置１００は、捕捉用円環手段１６を用いて、根掛りした釣具の捕捉性を向上することができる。なお、捕捉用円環手段１６の材質は特に限定されない。捕捉用円環手段１６は釣り人が引っ張っても切れない程度の強度の部材であれば、いずれのものも用いることができる。
【００２０】
錘手段は、釣具回収装置１００の自重を増加させる手段である。錘手段は、例えば回収紐取付手段１４に取り付けられる。これにより、本考案に係る釣具回収装置１００は、図８（ｂ）に示すように、錘手段を用いて、根掛りした釣具の釣り糸に取り付けて移動させ
るときの速度を上げることができる。また、本考案に係る釣具回収装置１００は、錘手段を用いて釣り糸に取り付けて移動させるときの速度を上げることができるので、根掛りした釣具との衝突衝撃効果だけで、根掛りがはずれる効果を期待できる。なお、錘手段の材質は特に限定されない。また、錘手段の取り付け方法は特に限定されない。
【００２１】
図８を用いて、本考案の実施形態に係る釣具回収装置１００の使用方法の一例を説明する。ここで、図８（ａ）は、釣具が根掛りした状態の一例を説明する説明図である。図８（ｂ）は、釣具回収装置１００の移動方法の一例を説明する説明図である。図８（ｃ）は、釣具回収装置１００が根掛りした釣具を回収する方法の一例を説明する説明図である。
【００２２】
なお、図８に示す釣具回収装置の使用方法は一例であり、本考案は図８に示す釣具回収装置１００の使用方法に限定されるものではない。
【００２３】
図８（ａ）に示すように、本考案に係る釣具回収装置１００は、釣具ＬＲ（例えばルアー）が根掛りした場合に使用する。図８（ｂ）に示すように、釣具回収装置１００は、滑車手段１３に固定したフック手段１１とフック固定手段１２とが形成する開口に、根掛りした釣具の釣り糸を通し、自重を利用して釣り糸に沿って滑らせて、釣具ＬＲに到達させる。このとき、釣具回収装置１００は、フック手段１１（図１、図２）および／または捕捉用円環手段１６（図７）を釣具ＬＲに引っ掛けることができる。これにより、図８（ｃ）に示すように、釣具回収装置１００は、釣り人が回収紐を引っ張ることによって、釣り糸を切ることなく、根掛りした釣具ＬＲを回収することができる。
【００２４】
以上のとおり、本考案に係る釣具回収装置は、回収紐を用いて根掛りした釣具を回収することができる。また、本考案に係る釣具回収装置は、釣具（例えばルアー）の形状やタイプを選ばず、簡単に装着でき、すみやかに根掛りした釣具を回収することができる。さらに、本考案に係る釣具回収装置は、小型化することができ、容易に持ち運びでき、容易に取り付けや取り外し、再取り付け可能である。
【００２５】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２６】
１００  ：  釣具回収装置
１１，１１Ａ，１１Ｂ，１１Ｃ：  フック手段
１１ａ：  頭部開口
１１ｂ：  脚部開口
１２  ：  フック固定手段
１３  ：  滑車手段
１３ａ：  開口
１４  ：  回収紐取付手段
１５  ：  回収紐
１６  ：  捕捉用円環手段
ＬＲ  ：  ルアー
【図１】
0003208541.tif 000003
【図２】
0003208541.tif 000004
【図３】
0003208541.tif 000005
【図４】
0003208541.tif 000006
【図５】
0003208541.tif 000007
【図６】
0003208541.tif 000008
【図７】
0003208541.tif 000009
【図８】
0003208541.tif 000010